(57)【要約】      （修正有）【課題】スマートフォンなどの情報通信端末による電子機器の操作を容易にする。【解決手段】現場作業者用操作システム１は、情報記憶装置１０と、情報通信端末２０と、を有する。情報記憶装置１０は、現場作業者が装着する第１カメラ１１１又は第２カメラ１１２の操作内容を示す操作情報３００を記憶すると共に、操作情報３００を外部に送信する。情報通信端末２０は、情報記憶装置１０から送信された操作情報３００を受信すると共に、受信した操作情報３００に基づいて第１カメラ１１１又は第２カメラ１１２を操作する。【選択図】図１
2020003931.tif 000002
【特許請求の範囲】
【請求項１】
工事現場などの現場作業者が、前記工事現場などで使用される機器を操作するための現場作業者用操作システムであって、
前記機器の操作内容を示す操作情報を記憶すると共に、前記操作情報を外部に送信する情報記憶装置と、
前記情報記憶装置から送信された前記操作情報を受信すると共に、受信した前記操作情報に基づいて前記機器を操作する操作装置と、を有する現場作業者用操作システム。
【請求項２】
前記情報記憶装置は、前記現場作業者の上肢に対応する位置に設けられている請求項１に記載の現場作業者用操作システム。
【請求項３】
前記情報記憶装置は、記憶されている前記操作情報を、前記操作装置からの要求に応じて送信する請求項１または請求項２に記載の現場作業者用操作システム。
【請求項４】
前記操作装置は、前記情報記憶装置から送信された前記操作情報を読み取る読取部を有すると共に、前記読取部で読み取った前記操作情報に基づいて前記機器を操作する請求項３に記載の現場作業者用操作システム。
【請求項５】
前記情報記憶装置に記憶されている前記操作情報は、前記機器のＯＮ／ＯＦＦ情報、前記機器の設定情報、または前記機器の動作モード情報のうちの少なくとも何れか一つを含む請求項１から請求項４の何れか一項に記載の現場作業者用操作システム。
【請求項６】
前記機器は、前記現場作業者が装着するカメラである請求項１から請求項５の何れか一項に記載の現場作業者用操作システム。
【発明の詳細な説明】
【技術分野】
【０００１】
本発明は、現場作業者用操作システムに関する。
【背景技術】
【０００２】
近年、テレビやエアコンなどの電子機器をスマートフォンなどの携帯端末で操作する技術が開発されており、特許文献１には、車両内の温度調節装置をスマートフォンで操作する技術が開示されている。
【先行技術文献】
【特許文献】
【０００３】
【特許文献１】特開２０１３−９０５４８号公報
【発明の概要】
【発明が解決しようとする課題】
【０００４】
また近年では、工事現場や工場などの作業現場において、作業者が被るヘルメットなどにカメラが搭載され、そのカメラで撮影した作業者の作業手順や作業内容を管理者などが確認することで、作業者に作業指示を行うことが行われており、この種のカメラの起動や操作にスマートフォンを用いることも考えられる。
【０００５】
しかしながら、工事現場などで作業を行う作業者は厚手の作業用手袋を着用している場合や、作業用の工具を持っている場合があり、スマートフォンの操作画面を指で操作し難いという問題があった。そのため、スマートフォンを操作するために、作業者は、作業用手袋を外したり、作業用の工具を置くなどする必要があり作業効率が低下してしまう。
【０００６】
したがって、本発の一つの目的は、スマートフォンなどの情報通信端末による電子機器の操作を容易にすることにある。また、他の目的は、本明細書の記載から明らかにされる。
【課題を解決するための手段】
【０００７】
一つの実施形態にかかる、工事現場などの現場作業者が、工事現場などで使用される機器を操作するための現場作業者用操作システムは、機器の操作内容を示す操作情報を記憶すると共に、操作情報を外部に送信する情報記憶装置と、情報記憶装置から送信された操作情報を受信すると共に、受信した操作情報に基づいて機器を操作する操作装置と、を有する。情報記憶装置はＩＣタグでも良く、操作装置はＩＣタグに記憶された操作情報を読み取るためのＩＣタグリーダを有する情報通信端末であってよい。
【発明の効果】
【０００８】
本発明の効果は、本明細書の記載から明らかにされる。
【図面の簡単な説明】
【０００９】
【図１】現場作業者用操作システムを説明する図である。
【図２】現場作業者に対するＩＣタグの装着例を説明する図である。
【発明を実施するための形態】
【００１０】
＜現場作業者用操作システム＞
初めに、図１を用いて現場作業者用操作システム１を説明する。実施の形態では、現場作業者用操作システム１（以下、単に操作システム１とも言う）により、現場作業者１００が被るヘルメット１１０に装着された第１カメラ１１１と第２カメラ１１２との操作を行う場合を例示して説明する。なお、操作システム１の操作対象はカメラに限定されるものではなく、現場作業者１００が装着するバイタルセンサや現場作業者１００が使用する計測装置などでも良い。
【００１１】
図１は、現場作業者用操作システム１を説明する図である。
図２は、現場作業者１００における情報記憶装置１０（例えば、ＩＣタグ）の装着例を説明する図である。図２では、現場作業者１００が、作業着のポケット１５０に入れた情報通信端末２０（例えば、スマートフォン）を用いて、頭部に被ったヘルメット１１０の第１カメラ１１１と第２カメラ１１２とをハンズフリーで操作する場合を例示して説明する。
【００１２】
図１に示すように、操作システム１は、所定の情報を記憶する情報記憶装置１０と、この情報記憶装置１０に記憶された情報を読み取る読取部２１を有する情報通信端末２０と、を有する。
【００１３】
情報記憶装置１０は、情報通信端末２０から送信される要求信号２００（例えば電波）を受信することで微弱な電力を生成し、その電力によりＩＣ１１に記憶された操作情報３００を送信する。情報記憶装置１０としてＩＣタグなどを適用することができる。情報記憶装置１０は、工事現場や工場などで作業を行う現場作業者１００の作業着などに装着されており、特に、現場作業者１００の上肢１０１に対応する位置に設けられている。例えば、情報記憶装置１０は、現場作業者１００の手部又は指部１０１ａ、前腕部１０１ｂ、上腕部１０１ｃ対応する位置に設けられている（図２参照）。
【００１４】
図２に示すように、実施の形態では、現場作業者１００による機器（カメラ１１１、１１２）の作業内容に応じた３つの操作情報が、３つの情報記憶装置１０Ａ、１０Ｂ、１０Ｃにそれぞれ記憶されている。例えば、前述した第１カメラ１１１の電源のＯＮ／ＯＦＦ情報、設定情報、撮影モード情報や、第２カメラの電源のＯＮ／ＯＦＦ情報、設定情報、撮影モード情報などの操作情報が情報記憶装置１０Ａ〜１０Ｃに記憶されている。そして、それぞれの操作情報が記憶された情報記憶装置１０Ａ〜１０Ｃは現場作業者１００の作業着の上肢１０１の異なる複数の箇所に装着される。
【００１５】
図２に示すように、現場作業者１００は、自身が身に着ける作業着の上肢１０１に対応する３か所に情報記憶装置１０（１０Ａ、１０Ｂ、１０Ｃ）を装着している。具体的には、作業着において、現場作業者１００の右上肢１０１の手部又は指部１０１ａに対応する位置に情報記憶装置１０Ａを装着し、前腕部１０１ｂに対応する位置に情報記憶装置１０Ｂを装着し、上腕部１０１ｃに対応する位置に情報記憶装置１０Ｃを装着している。
【００１６】
例えば、現場作業者１００における手部又は指部１０１ａに対応する位置に装着された情報記憶装置１０Ａには第１カメラ１１１の電源のＯＮ／ＯＦＦ情報が記憶され、現場作業者１００における前腕部１０１ｂに対応する位置に装着された情報記憶装置１０Ｂには第２カメラの電源のＯＮ／ＯＦＦ情報が記憶され、現場作業者１００の上腕部１０１ｃに対応する位置に装着された情報記憶装置１０Ｃには第１カメラ１１１と第２カメラ１１２との両方の設定値を初期に戻す情報が記憶されている。
【００１７】
これにより、現場作業者１００は必要な操作と自身の上肢１０１の何れかの部位に対応する位置に装着された情報記憶装置１０とを容易に対応付けることができ、上肢１０１に装着された何れかの情報記憶装置１０Ａ〜１０Ｃを情報通信端末２０に近づけることで、当該情報記憶装置１０に記憶された操作情報に基づく動作を第１カメラ１１１又は第２カメラ１１２に行わせることができる。
【００１８】
なお、現場作業者１００における情報記憶装置１０の装着位置は、現場作業者１００が情報記憶装置１０を情報通信端末２０に近づける操作をし易い位置であれば、前述した上肢１０１に限定されるものではない。例えば、情報記憶装置１０を、現場作業者１００における左上肢１０２又は下肢の何れかの位置に対応する箇所に装着してもよい。また、装着する情報記憶装置１０の数は、機器の操作数に応じて１つ又は複数であってもよい。
【００１９】
図１に戻って、情報通信端末２０は、情報記憶装置１０に記憶された操作情報を読み取る読取部２１を有している。この情報通信端末２０として、例えば、ＩＣタグを読み取るＩＣタグリーダを有するスマートフォン端末、タブレット端末、ノートパソコンなどを適用することができる。そして、読取部２１としてＩＣタグリーダが挙げられる。情報通信端末２０は、情報記憶装置１０に対して要求信号２００（電波）を送信し、この要求信号２００に基づいて情報記憶装置１０から送信された操作情報３００を受信する。
【００２０】
また情報通信端末２０は、情報記憶装置１０から送信された操作情報３００に基づいて、現場作業者１００が被るヘルメット１１０に設けられた第１カメラ１１１と第２カメラ１１２の操作を無線により行う。この情報通信端末２０による第１カメラ１１１と第２カメラ１１２の操作の一例として、第１カメラ１１１及び第２カメラの電源のＯＮ／ＯＦＦ操作、設定の初期化又は所定の設定値のセット、撮影モードの設定（例えば、晴天時撮影モード、夜間撮影モード、撮影倍率など）が挙げられる。また、情報通信端末２０は、情報記憶装置１０から送信された操作情報３００に基づいて、第１カメラ１１１と第２カメラ１１２とを操作するためのアプリケーションの起動や初期設定などを行う。
【００２１】
前述した実施の形態では、現場作業者１００が使用する各カメラの起動などの操作情報を複数の情報記憶装置１０に予め記憶し、現場作業者１００が何れかの情報記憶装置１０を情報通信端末２０に近づけることで情報通信端末２０が情報記憶装置１０に記憶されている操作情報を非接触で読み込むと共に、読み込んだ操作情報に基づいて各カメラの起動などの操作を行う場合を例示して説明したが、情報通信端末２０による操作対象は前述したカメラに限定されるものではなく、作業現場や工場などで使用される様々な機器を対象とすることができる。
【００２２】
例えば、現場作業者１００は、他の現場作業者や管理者と会話などのコミュニケーションを行うためのイヤフォンやマイクを装着する場合がある。この場合、イヤフォンやマイクを使用するためのアプリケーションの起動や初期設定などの操作情報を情報記憶装置１０に記憶し、その情報記憶装置１０に記憶された操作情報を情報通信端末２０により非接触で読み込むことで、読み込んだ操作情報に基づいてイヤフォンやマイクの操作を行うようにしてもよい。また、現場作業者１００の作業時の健康管理を行うためのバイタルセンサ（脈拍計など）を現場作業者１００が装着する場合がある。この場合、情報通信端末２０は、情報記憶装置１０に記憶されたバイタルセンサの起動や初期設定などの操作情報に基づいてバイタルセンサを操作してもよい。
【００２３】
また、前述した実施の形態では、情報記憶装置１０としてＩＣタグを用いた場合を例示して説明したが、機器の操作内容を示す情報を記憶でき、情報通信端末２０により非接触で読み取れるものであればＩＣタグに限定されるものではない。例えば、情報記憶装置として、２次元バーコードなどを適用してもよい。この場合、情報通信端末２０は、当該情報通信端末２０に設けられた読取部（カメラ）などにより２次元バーコードとして記憶された機器の操作情報を読み取ることで、機器の操作情報を非接触で読み取り、この操作情報に基づいて機器の操作を行うことができる。
【００２４】
以上説明した通り、実施の形態では、
（１）工事現場などの現場作業者１００が、工事現場などで使用される機器を操作するための現場作業者用操作システム１であって、現場作業者１００が装着する第１カメラ１１１又は第２カメラ１１２（機器）の操作内容を示す操作情報３００を記憶すると共に、操作情報３００を外部に送信する情報記憶装置１０と、この情報記憶装置１０から送信された操作情報３００を受信すると共に、受信した操作情報３００に基づいて第１カメラ１１１又は第２カメラ１１２を操作する情報通信端末２０（操作装置）と、を有する構成とした。
【００２５】
このように構成すると、現場作業者１００は、情報記憶装置１０を情報通信端末２０に近づけることで情報記憶装置１０に記憶された操作情報３００を読み取ることができる。よって、操作システム１は、操作情報３００に基づいて情報通信端末２０を非接触で操作することができる。よって、現場作業者１００が、作業用手袋を装着している場合や、作業用の工具などを把持している場合でも、操作情報３００を記憶した情報記憶装置１０を情報通信端末２０に近づけるだけで、情報通信端末２０を容易かつ確実に操作できる結果、情報通信端末２０によるカメラ等の機器の操作を行うことができる。
【００２６】
（２）また、情報記憶装置１０は、現場作業者１００の上肢１０１に対応する位置に設けられている構成とした。
【００２７】
このように構成すると、現場作業者１００において、情報記憶装置１０を上肢１０１に対応する位置に設けられているので、上肢１０１を動かすことで情報記憶装置１０を情報通信端末２０に簡単に近づけることができる。よって、現場作業者１００は、情報記憶装置１０による情報通信端末２０の操作を行いやすい。
【００２８】
（３）また、情報記憶装置１０は、当該情報記憶装置１０に記憶されている操作情報３００を、情報通信端末２０からの要求に応じて送信する構成とした。
【００２９】
このように構成すると、情報記憶装置１０を情報通信端末２０に近づけるだけで、情報記憶装置１０と情報通信端末２０との情報の送受信を非接触で行うことができる。
【００３０】
（４）また、情報通信端末２０は、この情報記憶装置１０から送信された操作情報３００を読み取る読取部２１を有すると共に、この読取部２１で読み取った操作情報３００に基づいて第１カメラ１１１及び第２カメラ１１２を操作する構成とした。
【００３１】
このように構成すると、情報通信端末２０は、読取部２１により情報記憶装置１０に記憶されている操作情報３００を非接触で読み取ることができ、この読み取った操作情報３００に基づいてカメラの操作を確実に行うことができる。
【００３２】
（５）また、情報記憶装置１０に記憶されている操作情報３００は、第１カメラ１１１及び第２カメラ１１２の電源のＯＮ／ＯＦＦ情報、各カメラの設定情報、または各カメラの動作モード情報のうちの少なくとも何れか一つを含む構成とした。
【００３３】
このように構成すると、情報記憶装置１０に記憶された、第１カメラ１１１及び第２カメラ１１２の電源のＯＮ／ＯＦＦ情報、各カメラの設定情報、または各カメラの動作モード情報に基づいて、情報通信端末２０により第１カメラ１１１及び第２カメラ１１２の操作を非接触で行うことができる。
【００３４】
（６）また、機器は、作業現場や工場で作業を行う現場作業者１００が装着する第１カメラ１１１又は第２カメラ１１２である構成とした。
【００３５】
このように構成すると、現場作業者１００は、自身の装着する第１カメラ１１１又は第２カメラ１１２の操作を情報記憶装置１０を情報通信装置２０に近づけるだけで非接触で行うことができ、カメラによる現場の作業状況を適切に映す操作を行うことができる。
【００３６】
以上、本発明の実施の形態の一例を説明したが、本発明は、前述した実施の形態を全て組み合わせてもよく、何れか２つ以上の実施の形態を任意に組み合わせても好適である。
【００３７】
また、本発明は、前述した実施の形態の全ての構成を備えているものに限定されるものではなく、前述した実施の形態の構成の一部を、他の実施の形態の構成に置き換えてもよく、また、前述した実施の形態の構成を、他の実施の形態の構成に置き換えてもよい。
【００３８】
また、前述した実施の形態の一部の構成について、他の実施の形態の構成に追加、削除、置換をしてもよい。
【符号の説明】
【００３９】
１：現場作業者用操作システム、１０（１０Ａ、１０Ｂ、１０Ｃ）：情報記憶装置、１１：ＩＣ，２０：情報通信端末、２１：読取部、１００：現場作業者、１０１：上肢、１０１ａ：手部又は指部、１０１ｂ：前腕部、１０１ｃ：上腕部、１１０：ヘルメット、１１１：第１カメラ、１１２：第２カメラ、２００：要求信号、３００：操作情報
【図１】
2020003931.tif 000003
【図２】
2020003931.tif 000004